(57)【要約】【課題】加速器室あるいは測定室における室内の低エネルギー中性子束を下げるため低エネルギー中性子束の反射が極めて少ない中性子遮蔽体を提供すること。【解決手段】中性子遮蔽体１２は、コンクリート壁１４と、コンクリート壁１４にモルタルが塗られて形成されたモルタル壁１６とを含んで構成されている。床、天井、壁に対応した複数の中性子遮蔽体１２により加速器室あるいは測定室１８が形成され、加速器室あるいは測定室１８の床面全域、天井面全域、壁面全域にモルタル壁１６が臨んでいる。モルタルは、B4Cをボロン換算量で5×1020/ccから5×1022/cc含有している。【選択図】図１
2008304303.tif 000002
【特許請求の範囲】
【請求項１】
コンクリート壁と、
前記コンクリート壁にモルタルが塗られて形成されたモルタル壁とを含み、
前記モルタルは、B4Cをボロン換算量で5×1020/ccから5×1022/cc含有している、
ことを特徴とする中性子遮蔽体。
【請求項２】
コンクリート壁と、
前記コンクリート壁にタイルが貼られて形成されたタイル壁とを含み、
前記タイルは、B4Cをボロン換算量で5×1020/ccから5×1022/cc含有している、
ことを特徴とする中性子遮蔽体。
【請求項３】
前記タイルの複数箇所にボルト挿通孔が形成され、
前記タイルは、前記ボルト挿通孔に挿通されたボルトによりコンクリート壁に取着されている、
ことを特徴とする請求項２記載の中性子遮蔽体。
【請求項４】
前記タイルの複数箇所にボルト挿通孔および前記ボルト挿通孔と同軸上にボルトの頭部を収容する凹部が形成され、
前記タイルは、前記凹部に頭部が収容され前記ボルト挿通孔に軸部が挿通されたボルトによりコンクリート壁に取着されている、
ことを特徴とする請求項２記載の中性子遮蔽体。
【請求項５】
前記タイル壁は、複数のタイルと、それらタイルの間に設けられた目地を含んで構成され、
前記目地は、B4Cをボロン換算量で5×1020/ccから5×1022/cc含有している、
ことを特徴とする請求項２記載の中性子遮蔽体。
【請求項６】
前記コンクリート壁と前記モルタル壁との間にステンレス鋼板が介在している、
ことを特徴とする請求項１記載の中性子遮蔽体。
【請求項７】
前記コンクリート壁と前記タイル壁との間にステンレス鋼板が介在している、
ことを特徴とする請求項２記載の中性子遮蔽体。
【請求項８】
鋼板からなる鋼板壁と、
前記鋼板壁にモルタルが塗られて形成されたモルタル壁とを含み、
前記モルタルは、B4Cをボロン換算量で5×1020/ccから5×1022/cc含有している、
ことを特徴とする中性子遮蔽体。
【請求項９】
コンクリート壁と、
前記コンクリート壁に合わされた鋼板からなる鋼板壁と、
前記鋼板壁にモルタルが塗られて形成されたモルタル壁とを含み、
前記モルタルは、B4Cをボロン換算量で5×1020/ccから5×1022/cc含有している、
ことを特徴とする中性子遮蔽体。
【請求項１０】
鋼板からなる鋼板壁と、
前記鋼板壁にタイルが貼られて形成されたタイル壁とを含み、
前記タイルは、B4Cをボロン換算量で5×1020/ccから5×1022/cc含有している、
ことを特徴とする中性子遮蔽体。
【請求項１１】
コンクリート壁と、
前記コンクリート壁に合わされた鋼板からなる鋼板壁と、
前記鋼板壁にタイルが貼られて形成されたタイル壁とを含み、
前記タイルは、B4Cをボロン換算量で5×1020/ccから5×1022/cc含有している、
ことを特徴とする中性子遮蔽体。
【請求項１２】
前記タイルの複数箇所にボルト挿通孔が形成され、
前記タイルは、前記ボルト挿通孔に挿通されたボルトにより鋼板壁に取着されている、
ことを特徴とする請求項１０または１１記載の中性子遮蔽体。
【請求項１３】
前記タイルの複数箇所にボルト挿通孔および前記ボルト挿通孔と同軸上にボルトの頭部を収容する凹部が形成され、
前記タイルは、前記凹部に頭部が収容され前記ボルト挿通孔に軸部が挿通されたボルトにより鋼板壁に取着されている、
ことを特徴とする請求項１０または１１記載の中性子遮蔽体。
【請求項１４】
前記タイル壁は、複数のタイルと、それらタイルの間に設けられた目地を含んで構成され、
前記目地は、B4Cをボロン換算量で5×1020/ccから5×1022/cc含有している、
ことを特徴とする請求項１０または１１記載の中性子遮蔽体。
【請求項１５】
前記鋼板壁はステンレス鋼板以外の鋼板で構成され、
前記鋼板壁と前記モルタル壁との間にステンレス鋼板が介在している、
ことを特徴とする請求項８または９記載の中性子遮蔽体。
【請求項１６】
前記鋼板壁はステンレス鋼板以外の鋼板で構成され、
前記鋼板壁と前記タイル壁との間にステンレス鋼板が介在している、
ことを特徴とする請求項１０または１１記載の中性子遮蔽体。
【請求項１７】
請求項１乃至１６に何れかに記載の中性子遮蔽体により形成された加速器室あるいは測定室。
【発明の詳細な説明】
【技術分野】
【０００１】
本発明は、加速器施設内の冷中性子束や熱中性子束などの低エネルギー中性子束が支配的な室、すなわちPET製剤製造用のサイクロトロン室および線形加速器室、BNCT照射室、中性子測定（透過、散乱、回折）室などを施工する際に、室内の低エネルギー中性子束を著しく低減させるために好適な中性子遮蔽体に関する。
【背景技術】
【０００２】
従来、PET製剤製造用のサイクロトロン室および線形加速器室、BNCT照射室、中性子測定（透過、散乱、回折）室などを施工する際には、室内における壁から反射される低エネルギー中性子束に関してはほとんど考慮されていない。中性子線源からの熱中性子束、熱外中性子束、高速中性子束などが外部に漏洩しないよう、特許文献1および特許文献2にみられるように、単に中性子発生源を遮蔽する層やコンクリート壁を設けている。つまり遮蔽する機能だけを目的として、壁で反射されて室内空間に漂う低エネルギー中性子束を下げるということに関心が払われてこなかった。従来は、外部に漏洩する中性子束を効率的に遮蔽できれば、室内の冷中性子束や熱中性子束などの低エネルギー中性子束が高くても、特段に不具合が生じなかったからである。
【特許文献１】特開２００２−３１１１９０
【特許文献２】特開２００６−５８２０９
【発明の開示】
【発明が解決しようとする課題】
【０００３】
ところが、微弱な冷中性子束や熱中性子束などの低エネルギー中性子束を測定することを目的とする中性子測定（透過、散乱、回折）室では、壁および床および天井から反射される低エネルギー中性子束が高いと測定器の検出下限値が上昇して、分解能が悪くなる不利があった。これを解決するには低エネルギー中性子束の反射が極めて少ない材料、つまり測定の際雑音となるバックグランドを下げるような遮蔽体の適用が必要である。
また、低エネルギー中性子束の反射が多い場合、低エネルギー中性子と室内空気物質との核反応によって室内空気中に生成する放射性物質（41Arなど）が多くなり、作業員がこの空気を吸引することにより内部被ばくの危険性が生まれ、作業員の室内への入室が制限される。従来では、運転終了後、この室内空気中の放射性物質の減衰を待って入室する必要があり、メンテナンス時間を短縮する上で不利があった。これを解決するには低エネルギー中性子束の反射が極めて少ない遮蔽体の適用が必要である。
本発明は前記事情に鑑み案出されたものであって、本発明の目的は、壁および床および天井から反射される低エネルギー中性子束を低減させる上で有利な中性子遮蔽体を提供することにある。
【課題を解決するための手段】
【０００４】
前記目的を達成するため本発明の中性子遮蔽体は、コンクリート壁と、前記コンクリート壁にモルタルが塗られて形成されたモルタル壁とを含み、前記モルタルは、B4Cをボロン換算量で5×1020/ccから5×1022/cc含有していることを特徴とする。
また、本発明の中性子遮蔽体は、コンクリート壁と、前記コンクリート壁にタイルが貼られて形成されたタイル壁とを含み、前記タイルは、B4Cをボロン換算量で5×1020/ccから5×1022/cc含有していることを特徴とする。
また、本発明の中性子遮蔽体は、鋼板からなる鋼板壁と、前記鋼板壁にモルタルが塗られて形成されたモルタル壁とを含み、前記モルタルは、B4Cをボロン換算量で5×1020/ccから5×1022/cc含有していることを特徴とする。
また、本発明の中性子遮蔽体は、コンクリート壁と、前記コンクリート壁に合わされた鋼板からなる鋼板壁と、前記鋼板壁にモルタルが塗られて形成されたモルタル壁とを含み、前記モルタルは、B4Cをボロン換算量で5×1020/ccから5×1022/cc含有していることを特徴とする。
また、本発明の中性子遮蔽体は、鋼板からなる鋼板壁と、前記鋼板壁にタイルが貼られて形成されたタイル壁とを含み、前記タイルは、B4Cをボロン換算量で5×1020/ccから5×1022/cc含有していることを特徴とする。
また、本発明の中性子遮蔽体は、コンクリート壁と、前記コンクリート壁に合わされた鋼板からなる鋼板壁と、前記鋼板壁にタイルが貼られて形成されたタイル壁とを含み、前記タイルは、B4Cをボロン換算量で5×1020/ccから5×1022/cc含有していることを特徴とする。
【発明の効果】
【０００５】
本発明によれば、反射による低エネルギー中性子束がほとんどなくなり、室内で中性子測定（透過、散乱、回折）装置を使用する場合、バックグランド（室内の低エネルギー中性子束）を低減すると検出器の検出限界が下がるので、結果的に測定装置の分解能の向上効果により高い分解能が得られる。
また、反射による低エネルギー中性子束がほとんどなくなれば、低エネルギー中性子との核反応によって室内空気中に生成する放射性物質も著しく（1/10以下）低減し、この被ばく低減効果により、運転終了後、短い時間で入室でき、結果的にメンテナンス時間の大幅な短縮が可能になる。
また、反射による低エネルギー中性子束がほとんどなくなれば、遮蔽体の厚さを薄くでき、室内空間が大きく確保できる。また、設置空間を小さくできる。
また、遮蔽体の厚さを薄くできることで、遮蔽体設置時の揚重機を小さくでき、遮蔽体の設置を簡単に短時間で行うことが可能となる。
また、遮蔽体の厚さを薄くできることで、放射性物質の生成を低減でき、運転終了時の解体量、処分量を削減できる。
【発明を実施するための最良の形態】
【０００６】
以下、本発明の実施の形態を図面にしたがって説明する。
（第１の実施の形態）
図１は、第１の実施の形態に係る中性子遮蔽体を用いて施工された加速器室あるいは測定室の断面図を示す。
第１の実施の形態に係る中性子遮蔽体１２は、コンクリート壁１４と、コンクリート壁１４にモルタルが塗られて形成されたモルタル壁１６とを含んで構成されている。
床、天井、壁に対応した複数の中性子遮蔽体１２により加速器室あるいは測定室１８が形成され、加速器室あるいは測定室１８の床面全域、天井面全域、壁面全域にモルタル壁１６が臨んでいる。
コンクリート壁１４の厚さは、１０ｃｍ〜２００ｃｍである。
モルタルは、B4Cをボロン換算量で5×1020/ccから5×1022/cc含有している。
モルタル壁１６の厚さは、０．５ｃｍ〜１０ｃｍである。
モルタル壁１６は、モルタルが１層の厚さを０．５ｃｍから２ｃｍ程度として多層に塗ることで所定の厚さに仕上げられている。
なお、たとえば、測定器などの機器の構造や設置の態様によっては、床においてモルタル壁１６を省略する場合があり、また、壁面においてもモルタル壁１６を一部省略する場合がある。
また、コンクリート壁１４とモルタル壁１６からなる中性子遮蔽体１２は、予め工場で一体に製造してもよく、または設置場所で一体としてもよい。
【０００７】
【表１】
2008304303.tif 000003
【０００８】
モルタル壁１６を形成するモルタルの好ましい調合の一例を表１に示す。
水は上水道水とする。
セメントは普通ポルトランドセメント、高炉セメント、中庸熱セメント等を使用する。
細骨材は川砂、山砂、陸砂、砕砂を単独または混合して使用する。
B4Cのボロン換算量はモルタル壁１６の厚さによりモルタル１m3当たり10〜1000kg（B4Cをボロン換算量で5×1020/ccから5×1022/ccに相当）とする。
必要に応じて、乾燥収縮防止材として膨張材をモルタル１m3当たり0〜60kg、ひび割れ防止材として鋼繊維等の無機系繊維またはビニロン繊維等の有機系繊維を体積比で0〜3％使用する。
水セメント比（W/C）は30〜65％とする。なお、水セメント比（W/C）は石灰微粉末等の混和材、高性能AE減水剤等の混和剤を使用する場合はこの限りではない。
【０００９】
第１の実施の形態による室内における低エネルギー中性子束の壁からの反射による低減率を検証すると次の通りである。
一次元輸送計算により、中心に線源があり、100cmの空気層＋5cm厚のボロン入りモルタル＋1mの普通コンクリートの円体系で計算を行った。5cm厚のボロン入りコンクリートは、ボロンの含有量が原子数密度で1.4×1022/cc、1.4×1021/cc、1.4×1020/cc、そして普通コンクリートだけの場合の4ケースを検討した。その結果、室内における低エネルギー中性子束の壁からの反射による低減率は、普通コンクリートだけの場合に比べて、1.4×1022/ccで約1/20000、1.4×1021/ccで約1/600、1.4×1020/ccで約1/10の低減率であった。
したがって、第１の実施の形態に係る中性子遮蔽体１２で加速器室あるいは測定室１８を形成した場合、室内における低エネルギー中性子束を著しく低減できるので、低エネルギー中性子測定器の検出限界を著しく下げることができ、また低エネルギー中性子との核反応によって室内空気中に生成する放射性物質も著しく低減させることができる。
【００１０】
（第２の実施の形態）
図２は、第２の実施の形態に係る中性子遮蔽体を用いて施工された加速器室あるいは測定室の断面図、図１１（Ａ）はタイル壁の正面図、（Ｂ）、（Ｃ）はそれぞれタイル壁の断面図、図１２（Ａ）はタイル壁の断面図、（Ｂ）はタイル壁の平面図を示す。
第２の実施の形態に係る中性子遮蔽体２２は、コンクリート壁１４と、コンクリート壁１４にタイル２６が貼り付けられることで形成されたタイル壁２４とを含んで構成されている。
床、天井、壁に対応した複数の中性子遮蔽体２２により加速器室あるいは測定室１８が形成され、加速器室あるいは測定室１８の床面全域、天井面全域、壁面全域にタイル壁２４が臨んでいる。
コンクリート壁１４の構成は、第１の実施の形態と同様である。
図１１に示すように、タイル壁２４は、複数のタイル２６と、それらタイル２６の間に設けられた目地２８を含んで構成されている。
タイル２６は、B4Cをボロン換算量で5×1020/ccから5×1022/cc含有している。
タイル２６の厚さは、１ｃｍ〜１０ｃｍであり、辺の長さは、１０ｃｍ〜２００ｃｍである。
目地２８は、B4Cをボロン換算量で5×1020/ccから5×1022/cc含有している。
【００１１】
タイル２６はボルトＢを用いてコンクリート壁１４に取着されている。
より詳細には、図１１（Ｂ）に示すように、タイル２６の複数箇所にボルト挿通孔２６０２が形成され、このボルト挿通孔２６０２に対応するコンクリート壁１４の箇所にインサート金物Ｋが埋め込まれている。
そして、タイル２６は、ボルト挿通孔２６０２に挿通されインサート金物Ｋに結合されたボルトＢによりコンクリート壁１４に取着されている。
あるいは、図１１（Ｃ）に示すように、タイル２６の複数箇所にボルト挿通孔２６０２およびボルト挿通孔２６０２と同軸上にボルトＢの頭部を収容する凹部２６０４が形成されている。
そして、タイル２６は、凹部２６０４に頭部が収容され軸部がボルト挿通孔２６０２に挿通されインサート金物Ｋに結合されたボルトＢによりコンクリート壁１４に取着されている。
なお、床にタイル壁２４を設ける場合には、図１２に示すように、モルタルＭを用いてタイルを貼るようにしてもよい。この場合、モルタルＭは、B4Cをボロン換算量で5×1020/ccから5×1022/cc含有している場合と、B4Cを含まない場合がある。
【００１２】
なお、コンクリート壁１４とタイル壁２４からなる中性子遮蔽体２２は、予め工場で一体に製造してもよく、または設置場所で一体としてもよい。
【００１３】
タイル２６の調合については上述のモルタルの場合と同様である。
【００１４】
目地２８には、公知のB4C樹脂（B4C含有量がボロン換算で5×1020/ccから5×10２２/cc含むシリコン樹脂など）を用いる。
【００１５】
第２の実施の形態による室内における低エネルギー中性子束の壁からの反射による低減率を検証すると次の通りである。
一次元輸送計算により、中心に線源があり、100cmの空気層＋5cm厚のボロン入りタイル＋1mの普通コンクリートの円体系で計算を行った。5cm厚のボロン入りタイルは、ボロンの含有量が原子数密度で1.4×1022/cc、1.4×1021/cc、1.4×1020/cc、そして普通コンクリートだけの場合の4ケースを検討した。その結果、室内における低エネルギー中性子束の壁からの反射による低減率は、普通コンクリートだけの場合に比べて、1.4×1022/ccで約1/20000、1.4×1021/ccで約1/600、1.4×1020/ccで約1/10の低減率であった。
したがって、第２の実施の形態に係る中性子遮蔽体２４で加速器室あるいは測定室１８を形成した場合、室内における低エネルギー中性子束を著しく低減できるので、低エネルギー中性子測定器の検出限界を著しく下げることができ、また低エネルギー中性子との核反応によって室内空気中に生成する放射性物質も著しく低減させることができる。
【００１６】
（第３の実施の形態）
図３は、第３の実施の形態に係る中性子遮蔽体を用いて施工された加速器室あるいは測定室の断面図を示す。
第３の実施の形態に係る中性子遮蔽体３２は、鋼板からなる鋼板壁３４と、鋼板壁３４にモルタルが塗られて形成されたモルタル壁１６とを含んで構成されている。
床、天井、壁に対応した複数の中性子遮蔽体３２により加速器室あるいは測定室１８が形成され、加速器室あるいは測定室１８の床面全域、天井面全域、壁面全域にモルタル壁１６が臨んでいる。
鋼板壁３４の厚さは、０．２３ｃｍ〜２３ｃｍである。
鋼板壁３４は一枚の鋼板で形成してもよく、あるいは複数枚の鋼板を重ねて形成してもよい。
鋼板として、例えば、一般構造用圧延鋼材（ＳＳ材）や溶接構造用圧延鋼材（ＳＭ材）などを用いることができる。
モルタル壁１６およびこのモルタル壁１６をなすモルタルの構成は、第１の実施の形態と同様である。
なお、鋼板壁３４とモルタル壁１６からなる中性子遮蔽体３２は、予め工場で一体に製造してもよく、または設置場所で一体としてもよい。
【００１７】
モルタルの調合は、第１の実施の形態と同様である。
【００１８】
第３の実施の形態による室内における低エネルギー中性子束の壁からの反射による低減率を検証すると次の通りである。
一次元輸送計算により、中心に線源があり、100cmの空気層＋5cm厚のボロン入りモルタル＋1m厚の鋼板の円体系で計算を行った。5cm厚のボロン入りコンクリートは、ボロンの含有量が原子数密度で1.4×1022/cc、1.4×1021/cc、1.4×1020/cc、そして鋼板だけの場合の4ケースを検討した。その結果、室内における低エネルギー中性子束の壁からの反射による低減率は、鋼板だけの場合に比べて、1.4×1022/ccで約1/20000、1.4×1021/ccで約1/600、1.4×1020/ccで約1/10の低減率であった。
したがって、第３の実施の形態に係る中性子遮蔽体１６で加速器室あるいは測定室１８を形成した場合、室内における低エネルギー中性子束を著しく低減できるので、低エネルギー中性子測定器の検出限界を著しく下げることができ、また低エネルギー中性子との核反応によって室内空気中に生成する放射性物質も著しく低減させることができる。
【００１９】
（第４の実施の形態）
図４は、第４の実施の形態に係る中性子遮蔽体を用いて施工された加速器室あるいは測定室の断面図を示す。
第４の実施の形態に係る中性子遮蔽体４２は、鋼板からなる鋼板壁３４と、鋼板壁３４にタイル２６がモルタルにより貼り付けられることで形成されたタイル壁２４とを含んで構成されている。
床、天井、壁に対応した複数の中性子遮蔽体４２により加速器室あるいは測定室１８が形成され、加速器室あるいは測定室１８の床面全域、天井面全域、壁面全域にタイル壁２４が臨んでいる。
鋼板壁３４の構成は第３の実施の形態と同様である。
タイル壁２４およびタイル２６の構成は、第２の実施の形態と同様である。
なお、鋼板壁３４とタイル壁２４からなる中性子遮蔽体４２は、予め工場で一体に製造してもよく、または設置場所で一体としてもよい。
【００２０】
タイル２６の取り付けや調合あるいは目地２８の調合は、第２の実施の形態と同様である。
【００２１】
第４の実施の形態による室内における低エネルギー中性子束の壁からの反射による低減率を検証すると次の通りである。
一次元輸送計算により、中心に線源があり、100cmの空気層＋5cm厚のボロン入りタイル＋1mの鋼板の円体系で計算を行った。5cm厚のボロン入りタイルは、ボロンの含有量が原子数密度で1.4×1022/cc、1.4×1021/cc、1.4×1020/cc、そして鋼板だけの場合の4ケースを検討した。その結果、室内における低エネルギー中性子束の壁からの反射による低減率は、鋼板だけの場合に比べて、1.4×1022/ccで約1/20000、1.4×1021/ccで約1/600、1.4×1020/ccで約1/10の低減率であった。
したがって、第４の実施の形態に係る中性子遮蔽体２４で加速器室あるいは測定室１８を形成した場合、室内における低エネルギー中性子束を著しく低減できるので、低エネルギー中性子測定器の検出限界を著しく下げることができ、また低エネルギー中性子との核反応によって室内空気中に生成する放射性物質も著しく低減させることができる。
【００２２】
次に、モルタル壁１６やタイル壁２４の内側にステンレス鋼板４４を介在させた変形例について説明する。
（変形例１）
図５は、変形例１に係る中性子遮蔽体を用いて施工された加速器室あるいは測定室の断面図を示す。
変形例１に係る遮蔽体１２Ａは第１の実施の形態の中性子遮蔽体１２のコンクリート壁１４とモルタル壁１６との間にステンレス鋼板４４を介在させたものである。
すなわち、中性子遮蔽体１２Ａは、コンクリート壁１４と、ステンレス鋼板４４と、モルタル壁１６とを含んで構成されている。
【００２３】
（変形例２）
図６は、変形例２に係る中性子遮蔽体を用いて施工された加速器室あるいは測定室の断面図を示す。
変形例２に係る中性子遮蔽体２２Ａは、第２の実施の形態の中性子遮蔽体２２のコンクリート壁１４とタイル壁２４との間にステンレス鋼板４４を介在させたものである。
すなわち、中性子遮蔽体１２Ａは、コンクリート壁１４と、ステンレス鋼板４４と、タイル壁２４とを含んで構成されている。
【００２４】
（変形例３）
図７は、変形例３に係る中性子遮蔽体を用いて施工された加速器室あるいは測定室の断面図を示す。
変形例３に係る中性子遮蔽体３２Ａは、第３の実施の形態の中性子遮蔽体３２の鋼板壁３４とモルタル壁１６との間にステンレス鋼板４４を介在させたものである。
すなわち、中性子遮蔽体１２Ａは、鋼板壁３４と、ステンレス鋼板４４と、モルタル壁１６とを含んで構成されている。この場合、鋼板壁３４はステンレス鋼板以外の鋼板で構成されている。
【００２５】
（変形例４）
図８は、変形例４に係る中性子遮蔽体を用いて施工された加速器室あるいは測定室の断面図を示す。
変形例４に係る中性子遮蔽体４２Ａは、第４の実施の形態の中性子遮蔽体４２の鋼板壁３４とタイル壁２４との間にステンレス鋼板４４を介在させたものである。
すなわち、中性子遮蔽体４２Ａは、鋼板壁３４と、ステンレス鋼板４４と、タイル壁２４とを含んで構成されている。この場合、鋼板壁３４はステンレス鋼板以外の鋼板で構成されている。
なお、変形例１乃至４において、ステンレス鋼板４４の厚さは、０．３ｃｍ〜２．５ｃｍである。
このようにステンレス鋼板４４を介在させることで、定着安定性の点で有利となる。
また、変形例１乃至４の中性子遮蔽体１２Ａ、２２Ａ、３２Ａ、４２Ａは、予め工場で一体に製造してもよく、または設置場所で一体としてもよい。
【００２６】
（変形例５）
図９は、変形例５に係る中性子遮蔽体を用いて施工された加速器室あるいは測定室の断面図を示す。
変形例５に係る中性子遮蔽体３２Ｂは、図７に示した変形例３の鋼板壁３４の外側にコンクリート壁１４を加えたものである。
すなわち、中性子遮蔽体３２Ｂは、コンクリート壁１４と、鋼板壁３４と、ステンレス鋼板４４と、モルタル壁１６とを含んで構成されている。
【００２７】
（変形例６）
図１０は、変形例６に係る中性子遮蔽体を用いて施工された加速器室あるいは測定室の断面図を示す。
変形例６に係る中性子遮蔽体４２Ｂは、図８に示した変形例４の鋼板壁３４の外側にコンクリート壁１４を加えたものである。
すなわち、中性子遮蔽体４２Ｂは、コンクリート壁１４と、鋼板壁３４と、ステンレス鋼板４４と、タイル壁２４とを含んで構成されている。
なお、変形例５、６において、コンクリート壁１４の厚さは、１０ｃｍ〜２００ｃｍであり、鋼板壁３４の厚さは、０．２３ｃｍ〜２３ｃｍであり、モルタル壁１６の厚さやタイル壁２４の厚さは実施の形態１乃至４と同様である。
変形例６、７の中性子遮蔽体３２Ｂ、４２Ｂも、予め工場で一体に製造してもよく、または設置場所で一体としてもよい。
【図面の簡単な説明】
【００２８】
【図１】第１の実施の形態に係る中性子遮蔽体を用いて施工された加速器室あるいは測定室の断面図である。
【図２】第２の実施の形態に係る中性子遮蔽体を用いて施工された加速器室あるいは測定室の断面図である。
【図３】第３の実施の形態に係る中性子遮蔽体を用いて施工された加速器室あるいは測定室の断面図である。
【図４】第４の実施の形態に係る中性子遮蔽体を用いて施工された加速器室あるいは測定室の断面図である。
【図５】変形例１に係る中性子遮蔽体を用いて施工された加速器室あるいは測定室の断面図である。
【図６】変形例２に係る中性子遮蔽体を用いて施工された加速器室あるいは測定室の断面図である。
【図７】変形例３に係る中性子遮蔽体を用いて施工された加速器室あるいは測定室の断面図である。
【図８】変形例４に係る中性子遮蔽体を用いて施工された加速器室あるいは測定室の断面図である。
【図９】変形例５に係る中性子遮蔽体を用いて施工された加速器室あるいは測定室の断面図である。
【図１０】変形例６に係る中性子遮蔽体を用いて施工された加速器室あるいは測定室の断面図である。
【図１１】（Ａ）はタイル壁の正面図、（Ｂ）、（Ｃ）はそれぞれタイル壁の断面図である。
【図１２】（Ａ）はタイル壁の断面図、（Ｂ）はタイル壁の平面図である。
【符号の説明】
【００２９】
１２、２２、３２、４２、１２Ａ、２２Ａ、３２Ａ、４２Ａ、３２Ｂ、４２Ｂ……中性子遮蔽体、１４……コンクリート壁、１６……モルタル壁、１８……加速器室あるいは測定室、２４……タイル壁、３４……鋼板壁、４４……ステンレス鋼板。
【図１】
2008304303.tif 000004
【図２】
2008304303.tif 000005
【図３】
2008304303.tif 000006
【図４】
2008304303.tif 000007
【図５】
2008304303.tif 000008
【図６】
2008304303.tif 000009
【図７】
2008304303.tif 000010
【図８】
2008304303.tif 000011
【図９】
2008304303.tif 000012
【図１０】
2008304303.tif 000013
【図１１】
2008304303.tif 000014
【図１２】
2008304303.tif 000015